(57)【特許請求の範囲】
【請求項１】
竿体の竿元側端部に位置し、身体に当てることで釣りの操作を安定して行うための釣竿の竿尻の構造であって、
筒状の竿体と、
前記竿体の竿元側端部に軸方向に脱着自在に挿入される芯材部及び前記芯材部の竿元側端部に設けられた本体部を有する竿尻と
を備え、
前記竿尻には、前記芯材部上に、前記芯材部を前記竿体に挿入した際の挿入位置を位置決めするためのスペーサーが穂先側から脱着自在に配置されている
ことを特徴とする釣竿の竿尻構造。
【請求項２】
竿体の竿元側端部に位置し、身体に当てることで釣りの操作を安定して行うための釣竿の竿尻の構造であって、
筒状の竿体と、
前記竿体の竿元側端部に軸方向に脱着自在に挿入される芯材部及び前記芯材部の竿元側端部に設けられた本体部を有する竿尻とを備え、
前記本体部は前記芯材部上を軸方向に移動可能である釣竿の竿尻構造。
【請求項３】
前記本体部は軸方向に形成された雌ねじ部を有し、前記芯材部の竿元側端部はねじ山が形成され前記雌ねじ部に螺合可能な雄ねじ部となっている、請求項２に記載の釣竿の竿尻構造。
【請求項４】
前記竿尻は本体部の竿元側端面に弾性部材をさらに有する、請求項１〜３のいずれか１項に記載の釣竿の竿尻構造。
【請求項５】
前記本体部の竿尻側端面は軸方向に斜めに傾斜して形成されている、請求項１〜３のいずれか１項に記載の釣竿の竿尻構造。
【請求項６】
前記本体部の竿尻側端面は丸みを帯びて形成されている、請求項１〜３のいずれか１項に記載の釣竿の竿尻構造。
【発明の詳細な説明】
【０００１】
【発明の属する技術分野】
本発明は、魚釣りに用いる釣竿の竿尻構造に関する。
【０００２】
【従来の技術】
従来の釣竿は、元竿と、元竿の穂先側に振出形式または並継形式で連結された複数の中竿と、中竿の穂先側に連結された穂先竿とを有している。この元竿は、竿元側端部に設けられたグリップと、グリップの穂先側に設けられリールを取り付け可能なリールシートとを有している。この従来の釣竿では、リールシートにリールを取り付け、グリップを把持しつつリール操作を行いキャスティングやリトリーブ等を行う。
【０００３】
【発明が解決しようとする課題】
キャスティング後のリトリーブ時や釣糸の巻き上げ時において、穂先側の竿のぶれを抑えるために、元竿の竿元側端部を身体の一部（例えば、胸部や腹部）に当ててリール操作を行うことがある。このようにリール操作を行うことによって、リトリーブ時のリールを巻き上げる速度や釣竿を構える角度等を安定させて、釣りを行うのである。
【０００４】
しかし、従来の釣竿の中にはリールシートから元竿の竿元側端部までの距離が短く、元竿の竿元側端部を身体の一部に当てながらリール操作を行うのは難しい場合がある。特にルアー釣り用のルアーロッドでは、キャスティング性や運搬性等を考慮してリールシートが元竿の竿元側近くに設けられているものが多い。このような釣竿においても、必要に応じて元竿の竿元側端部を身体の一部に当てながら釣りを行いたい場合もある。
【０００５】
本発明の課題は、必要に応じて元竿の竿元側端部を身体に当てることができ、リトリーブ等の操作を安定して行うことができる釣竿の竿尻構造を提供することにある。
【０００６】
【課題を解決するための手段】
発明１にかかる釣竿の竿尻構造は、竿体の竿元側端部に位置し、身体に当てることで釣りの操作を安定して行うための釣竿の竿尻の構造であって、筒状の竿体と、竿体の竿元側端部に軸方向に脱着自在に挿入される芯材部及び芯材部の竿元側端部に設けられた本体部を有する竿尻とを備え、竿尻には、芯材部上に、芯材部を前記竿体に挿入した際の挿入位置を位置決めするためのスペーサーが穂先側から脱着自在に配置されている。
【０００７】
この場合には、必要に応じて、竿尻を竿体の竿元側端部に装着して身体の一部に釣竿の一部を当てて安定させた状態でリトリーブ等の操作をおこなう。即ち、竿尻の芯材部を竿体の竿元側から挿入して、竿尻の本体部を身体の一部、例えば、胸部や腹部などに押し当てて釣竿を安定させる。また、釣りを終えた運搬時や収納時や、竿体を身体の一部で支える必要がない場合には、竿尻を取り外して竿体だけのコンパクトな状態になる。
【００１０】
発明２にかかる釣竿の竿尻構造は、竿体の竿元側に位置する竿尻の構造であって、筒状の竿体と、竿体の竿元側端部に軸方向に脱着自在に挿入される芯材部及び芯材部の竿元側端部に設けられた本体部を有する竿尻とを備え、本体部は芯材部上を軸方向に移動可能である。
【００１１】
この場合には、竿尻を竿体の竿元側端部に装着した後、必要に応じてさらに本体部を軸方向に移動させて、竿体とユーザの身体との間の距離を任意に設定可能である。この結果、各ユーザに最も好ましい体勢でリトリーブ等の操作ができる。
【００１２】
発明３にかかる竿尻構造は、発明２の竿尻構造であって、本体部は軸方向に形成された雌ねじ部を有し、芯材部の竿元側端部はねじ山が形成され雌ねじ部に螺合可能な雄ねじ部となっている。
【００１３】
発明３にかかる釣竿の竿尻構造は、発明２の竿尻構造であって、本体部は軸方向に形成された雌ねじ部を有し、芯材部の竿元側端部はねじ山が形成され雌ねじ部に螺合可能な雄ねじ部となっている。
【００１４】
発明５にかかる釣竿の竿尻構造は、発明１〜３のいずれかの竿尻構造であって、本体部の竿尻側端面は軸方向に斜めに傾斜して形成されている。
【００１５】
この場合には、ユーザの身体に接触する本体部の竿尻側端面が軸方向に傾斜して形成されており、竿体を一定の角度で安定した状態で保持できる。
【００１６】
発明６にかかる釣竿の竿尻構造は、発明１〜３のいずれかの竿尻構造であって、本体部の竿尻側端面は丸みを帯びて形成されている。
【００１７】
この場合には、ユーザの身体に接触する本体部の竿尻側端面が丸みを帯びて形成されており、竿体を任意の方向に向けて安定した状態で保持できる。
【００１８】
【発明の実施の形態】
［第１実施形態］
以下、本発明の第１実施形態について図面を参照しつつ説明する。
【００１９】
本発明の第１実施形態を採用した釣竿は、図１に示すように、複数の竿体からなり穂先側の竿体を順次竿元側の竿体内に挿入して収納可能な複数の竿体からなる竿体ユニット２と、竿体ユニット２が挿入され収納可能なように竿体ユニット２の竿元側に連結された元竿１とを有している。
【００２０】
元竿１及び竿体ユニット２は、それぞれ炭素繊維やガラス繊維に合成樹脂を含浸させたプリプレグをマンドレルに巻回して焼成して得られた先細り筒状部材である。また、元竿１及び竿体ユニット２には釣糸を挿通可能なラインガイド３が所定の間隔を隔てて複数設けられている。元竿１は、竿元側端部に配置されたリアグリップ４と、リアグリップ４の穂先側に設けられリール（図示せず）を装着可能なリールシート５と、リールシート５の穂先側に配置された前グリップ６とを有している。また、元竿１の竿元側端部には竿尻１０が脱着自在に設けられている。
【００２１】
リアグリップ４及び前グリップ６は、天然ゴム，スチレンゴムやブタジエンゴム等の合成ゴム，ＥＶＡ樹脂またはコルク等の木材からなる円筒型部材であって、元竿１の所定の位置にはめ込まれて接着剤等で固定されている。また、リールシート５は元竿１の所定の位置に合成樹脂または金属製部材を射出成型したものであり、リールの脚部を脱着自在に固定可能である。
【００２２】
図２及び図３に示すように、竿尻１０は、芯材１１と、芯材１１上に配置される筒状のスペーサー１２と、芯材１１の竿元側端部に固定された本体部１３と、本体部１３の竿元側端面に固定されたラバー１４とを有している。
【００２３】
芯材１１は、元竿１及び竿体ユニット２と同様に、炭素繊維やガラス繊維に合成樹脂を含浸させたプリプレグをマンドレルに巻回して焼成して得られた筒状部材である。外径が元竿１の竿元側の内径と合致するように形成されており、元竿１の竿元側端面より軸方向に脱着自在に挿入される。なお、元竿１の竿元側端面には、尻栓７が脱着自在に配置されており、竿尻１０の装着時には取り外される。また、スペーサー１２は内径が芯材１１の外径に合致するように形成されたパイプ状の部材であり、芯材１１が元竿１の竿元側から挿入された際の挿入位置を位置決めしている。
【００２４】
本体部１３は、リアグリップ４及び前グリップ６と同様に、天然ゴム，スチレンゴムやブタジエンゴム等の合成ゴム，ＥＶＡ樹脂またはコルク等の木材からなるの円筒型部材であって、芯材１１の竿元側端部に接着剤等で固定されている。この部分は、必要に応じてユーザが把持することができる部分である。そして、本体部１３の竿元側端部にはラバー１４が配置されている。
【００２５】
この竿尻１０を元竿１に取り付ける際には、元竿１の竿元側端部に配置されている尻栓７を元竿１から外して、元竿１内の装着通路１００を開放する。そして、図３に示すように、竿尻１０の芯材１１をこの装着通路１００に挿入して固定する。この際、スペーサー１２が芯材１１の挿入位置を決定することになる。また、竿尻１０を元竿１から取り外す際には逆の手順にて行う。
【００２６】
このように構成された釣竿では、必要に応じて、竿尻１０を元竿１の竿元側端部に装着して、竿尻１０の本体部１３及びラバー１４を身体の一部（例えば、胸部や腹部など）に押し当てて安定させた状態でリトリーブ等の操作をおこなう。この結果、リトリーブ等の際のリールの巻き上げ速度を安定させることができ、さらに釣竿を一定の角度で安定させることができる。特に、ユーザの身体に直接接触する本体部１３の竿元側端部にはラバー１４が配置されており、押し当てても痛くなく滑りにくい。また、釣りを終えた運搬時や収納時や、釣竿を身体の一部で支える必要がない場合には、竿尻１０を取り外して竿体だけのコンパクトな状態にできる。
【００２７】
［第２実施形態］
以下、本発明の第２実施形態について図面を参照しつつ説明する。
【００２８】
本発明の第２実施形態を採用した中通し竿の竿元側に取り付けられる竿尻２０は、図４に示すように、芯材２１と、芯材２１上に配置される筒状のスペーサー２２と、芯材２１の竿元側端部に固定された本体部２３とを有している。
【００２９】
芯材２１は、元竿１及び竿体ユニット２と同様に、炭素繊維やガラス繊維に合成樹脂を含浸させたプリプレグをマンドレルに巻回して焼成して得られた筒状部材である。外径が元竿１の竿元側の内径と合致するように形成されており、元竿１の竿元側端面より軸方向に脱着自在に挿入される。また、芯材２１の竿元側の一部にはねじ山が形成されており、この部分が雄ねじ部２１ａとなっている。また、スペーサー２２は内径が芯材２１の外径に合致するように形成されたパイプ状の部材である。
【００３０】
本体部２３は、リアグリップ４及び前グリップ６と同様に、天然ゴム，スチレンゴムやブタジエンゴム等の合成ゴム，ＥＶＡ樹脂またはコルク等の木材からなるの円筒型部材である。穂先側から軸方向に雌ねじが形成された孔２３ａが設けられており、芯材２１の雄ねじ部２１ａがこの孔２３ａに螺合している。また、本体部２３の竿元側端面２３ｂは軸方向に斜めに傾斜して形成されている。
【００３１】
なお、その他の構成は第１実施形態と同様であり、説明を省略する。
【００３２】
この竿尻２０を元竿１に取り付ける際には、第１実施形態と同様に、元竿１の竿元側端部に配置されている尻栓７を元竿１から外して、元竿１内の装着通路１００を開放する。そして、竿尻２０の芯材２１をこの装着通路１００に挿入して固定する。そして、竿尻２０を元竿１に装着した後、本体部２３の芯材２１に対する螺合の程度を調整することによって、本体部２３の位置を調整する。
【００３３】
このように構成された釣竿では、第１実施形態と同様の作用効果を奏する。また、必要に応じて、竿尻２０の本体部２３を軸方向に移動させて、竿体とユーザの身体との間の距離を任意に設定可能でき、各ユーザに最も好ましい体勢でリトリーブ等の操作ができる。さらに、ユーザの身体に接触する本体部２３の竿尻側端面２３ｂが軸方向に傾斜して形成されており、元竿１を一定の角度で安定した状態で保持できる。
【００３４】
［第３実施形態］
以下、本発明の第３実施形態について図面を参照しつつ説明する。
【００３５】
本発明の第３実施形態を採用した中通し竿の竿元側に取り付けられる竿尻３０は、図５に示すように、芯材３１と、芯材３１上に配置される筒状のスペーサー３２と、芯材３１の竿元側端部に固定された本体部３３とを有している。
【００３６】
芯材３１は、元竿１及び竿体ユニット２と同様に、炭素繊維やガラス繊維に合成樹脂を含浸させたプリプレグをマンドレルに巻回して焼成して得られた筒状部材である。外径が元竿１の竿元側の内径と合致するように形成されており、元竿１の竿元側端面より軸方向に脱着自在に挿入される。また、スペーサー３２は、内径が芯材３１の外径に合致するように形成されたパイプ状の部材であって、芯材３１に穂先側から脱着自在になっている。
【００３７】
本体部３３は、リアグリップ４及び前グリップ６と同様に、天然ゴム，スチレンゴムやブタジエンゴム等の合成ゴム，ＥＶＡ樹脂またはコルク等の木材からなるの円筒型部材である。そして、本体部３３の竿元側端面３３ａは丸みを帯びて形成されている。
【００３８】
なお、その他の構成は第１実施形態と同様であり、説明を省略する。
【００３９】
このように構成された釣竿では、第１実施形態と同様の作用効果を奏する。また、様々な長さのスペーサー３２を用意して芯材３１に固定すれば、竿体とユーザの身体との間の距離を任意に設定が可能であり、各ユーザに最も好ましい体勢でリトリーブ等の操作ができる。さらに、ユーザの身体に接触する本体部３３の竿尻側端面３３ａが丸みを帯びて形成されており、元竿１を一定の角度で安定した状態で保持できる。
【００４０】
［他の実施形態］
（ａ）本発明はルアー用の釣竿に限定されるものではなく、投竿や船竿等にも適応できる。
【００４１】
【発明の効果】
本発明によれば、必要に応じて元竿の竿元側端部を身体に当てることができ、リトリーブ等の操作を安定して行うことができる。
【図面の簡単な説明】
【図１】本発明の第１実施形態を採用した釣竿の全体図。
【図２】本発明の第１実施形態を採用した竿尻を取り付ける前の状態図。
【図３】本発明の第１実施形態を採用した竿尻を取り付けた後の状態図。
【図４】本発明の第２実施形態を採用した竿尻付近の拡大図。
【図５】本発明の第３実施形態を採用した竿尻付近の拡大図。
【符号の説明】
１  元竿
４  リアグリップ
５  リールシート
１０，２０，３０  竿尻
１１，２１，３１  芯材
１２，２２，３２  スペーサー
１３，２３，３３  本体部
１４  ラバー
【図１】
0004093653.tif 000002
【図２】
0004093653.tif 000003
【図３】
0004093653.tif 000004
【図４】
0004093653.tif 000005
【図５】
0004093653.tif 000006